(57)【特許請求の範囲】
【請求項１】
ストレッチャ除振台の可動フレームに取り付けられ、固定部に対し少なくとも上下方向に揺動自在に設けられた可動部を有するロック機構であって、
ロック位置とロック解除位置との間を移動可能な第１及び第２ロックピンと、該第１及び第２ロックピンに連結されたリンク機構と、該リンク機構を介して上記第１及び第２ロックピンを操作する操作ノブとを備え、上記固定部は上記ストレッチャ除振台の可動範囲を設定する可動範囲設定用開口部を有し、上記固定部の外側に上記第１ロックピンを配置する一方、上記可動範囲設定用開口部内に上記第２ロックピンを配置し、上記可動範囲設定用開口部と上記第２ロックピンとにより上記可動フレームの可動範囲を決定するとともに、上記操作ノブをロック解除位置よりロック位置に移動させることにより、上記リンク機構を介して上記第１及び第２ロックピンが移動接近して上記固定部の一部を挟持し、上記可動部を上記固定部にロックするようにしたストレッチャ除振台のロック機構。
【請求項２】
上記固定部の外周部に第１凹部を形成するとともに、上記可動範囲設定用開口部における上記第１凹部の対向位置に第２凹部を形成し、上記第１及び第２ロックピンを上記第１及び第２凹部にそれぞれ嵌入させてロックするようにした請求項１に記載のストレッチャ除振台のロック機構。
【請求項３】
上記可動部にロックピンガイド部材を設け、該ロックピンガイド部材に第１及び第２ガイド溝を穿設して上記第１及び第２ロックピンをそれぞれ遊挿し、上記第１及び第２ロックピンを上記第１及び第２ガイド溝に沿ってそれぞれ移動させるようにした請求項１あるいは２に記載のストレッチャ除振台のロック機構。
【発明の詳細な説明】
【０００１】
【発明の属する技術分野】
本発明は、傷病者を搬送する救急車内に設けられ、担架とともに載置される傷病者の乗り心地を改善するストレッチャ除振台に関し、特にストレッチャ除振台のロック機構に関する。
【０００２】
【従来の技術】
従来のストレッチャ除振台に設けられている除振機構には、例えば電動式エアサスペンション等が採用されており、負荷（傷病者の体重）に応じて高さ調節を行うとともに、車体フロアから入力される振動を空気バネにより除振することにより、担架上の傷病者に加わる負担を軽減している。
【０００３】
また、傷病者に心臓マッサージ等を施す必要がある場合には、除振機構が作動しないようロックして傷病者に加わる力が逃げないようにしている。
【０００４】
【発明が解決しようとする課題】
最近では、乗り心地を改善するために磁気バネを利用したストレッチャ除振台も提案されており、本願出願人が出願したストレッチャ除振台は、車体フロアに対し可動フレームが上下及び前後に揺動する構成である。
【０００５】
したがって、このようなストレッチャ除振台のロック装置は、可動フレームの上下動のみならず前後動をもロックする必要があり、従来のロック装置をそのまま採用すると、ロックが不完全であるという問題がある。
【０００６】
本発明は、従来技術の有するこのような問題点に鑑みてなされたものであり、車体フロアに対し可動フレームが揺動するストレッチャ除振台において、可動フレームの位置に関係なく、必要に応じ簡単な操作で可動フレームを確実にロックすることができる信頼性の高いストレッチャ除振台のロック機構を提供することを目的としている。
【０００７】
【課題を解決するための手段】
上記目的を達成するために、本発明のうちで請求項１に記載の発明は、ストレッチャ除振台の可動フレームに取り付けられ、固定部に対し少なくとも上下方向に揺動自在に設けられた可動部を有するロック機構であって、ロック位置とロック解除位置との間を移動可能な第１及び第２ロックピンと、該第１及び第２ロックピンに連結されたリンク機構と、該リンク機構を介して上記第１及び第２ロックピンを操作する操作ノブとを備え、上記固定部は上記ストレッチャ除振台の可動範囲を設定する可動範囲設定用開口部を有し、上記固定部の外側に上記第１ロックピンを配置する一方、上記可動範囲設定用開口部内に上記第２ロックピンを配置し、上記可動範囲設定用開口部と上記第２ロックピンとにより上記可動フレームの可動範囲を決定するとともに、上記操作ノブをロック解除位置よりロック位置に移動させることにより、上記リンク機構を介して上記第１及び第２ロックピンが移動接近して上記固定部の一部を挟持し、上記可動部を上記固定部にロックするようにしたことを特徴とする。
【０００９】
さらに、請求項２に記載の発明は、上記固定部の外周部に第１凹部を形成するとともに、上記可動範囲設定用開口部における上記第１凹部の対向位置に第２凹部を形成し、上記第１及び第２ロックピンを上記第１及び第２凹部にそれぞれ嵌入させてロックするようにしたことを特徴とする。
【００１０】
また、請求項３に記載の発明は、上記可動部にロックピンガイド部材を設け、該ロックピンガイド部材に第１及び第２ガイド溝を穿設して上記第１及び第２ロックピンをそれぞれ遊挿し、上記第１及び第２ロックピンを上記第１及び第２ガイド溝に沿ってそれぞれ移動させるようにしたことを特徴とする。
【００１１】
【発明の実施の形態】
以下、本発明の実施の形態について、図面を参照しながら説明する。
図１は、本発明にかかるストレッチャ除振台のロック機構Ｍを示しており、車体フロア等の固定部に対し上下及び前後に揺動自在に取り付けられ、担架とともに傷病者が載置される可動フレームＦをロックするために使用される。
【００１２】
ストレッチャ除振台は、載置された傷病者に入力される振動を吸収（除振）する場合には、図２乃至図４に示されるように、ロック機構Ｍをフリー状態に設定する一方、心臓マッサージ等を施す必要がある場合には、図５乃至図７に示されるように、ロック機構Ｍをロック状態に設定して可動フレームＦをロックすることにより傷病者に加わる力が逃げないようにしている。
【００１３】
図１乃至図７に示されるように、ロック機構Ｍは、車体フロア等に固定される固定部２と、可動フレームＦに固定され可動フレームＦとともに揺動自在の可動部４とを有している。
【００１４】
固定部２は、ストレッチャ除振台の可動範囲を設定する可動範囲設定用開口部２ａが穿設されたプレート状の固定フレームからなり、固定フレームの外周部には第１凹部２ｂが形成されるとともに、可動範囲設定用開口部２ａにおける第１凹部２ｂとの対向位置には第２凹部２ｃが形成されている。
【００１５】
一方、可動部４は、所定距離離間した状態で可動フレームＦに固定される一対のロックピンガイド部材６．６と、リンク機構に連結された第１及び第２ロックピン８，１０と、リンク機構を介して第１及び第２ロックピン８，１０を所定位置に移動させる操作ノブ１２とを備えている。
【００１６】
操作ノブ１２は、操作ロッド１４を介して回動軸１６に連結されるとともに、ピン１７を中心として左右に揺動自在に取り付けられており、回動軸１６には第１レバー１８の一端が固定されている。また、可動フレームＦには、操作ロッドガイド部材２０が固定されており、操作ロッド１４は、操作ロッドガイド部材２０に穿設されたガイド溝２０ａに上下に揺動自在に遊挿されている。ガイド溝２０ａの上部には、除振台をロックする際に操作ロッド１４を係止する係止部２０ｂが形成されている。
【００１７】
なお、回動軸１６の両端は、可動フレームＦに固定され略Ｌ字状に折曲された一対のブラケット２２，２２に回動自在に取り付けられており、第１レバー１８が固定された軸端の反対側の軸端にはスプリングフック２３が固定されている。スプリングフック２３の自由端側にはコイルスプリング（図示せず）の一端が係止されるとともに、その他端は可動フレームＦの一部に係止されており、コイルスプリングの弾性力により回動軸１６を矢印Ａ方向（ロックの解除方向）に付勢している。
【００１８】
また、第１レバー１８の他端にはピン２４が植設されており、ピン２４は、揺動軸（後述）を駆動する駆動部材２６に穿設された長孔２６ａに摺動自在に遊挿されている。駆動部材２６は、第２レバー２８の一端に植設されたピン３０に回動自在に取り付けられるとともに、ピン３０に一端が係止された渦巻きバネ３２により矢印Ｂ方向に付勢されており、第２レバー２８は矢印Ｂ方向の逆方向である矢印Ｃ方向に付勢されている。
【００１９】
さらに、第２レバー２８の他端は、揺動軸３４の一端に固定されており、揺動軸３４の他端には、第２レバー２８と同様、一端にピン３６が植設されたレバー３８の他端が固定されている（以後、レバー３８も第２レバーと称する）。また、第２レバー２８，３８に植設されたピン３０，３６は、略Ｌ字状に折曲されたブラケット４０，４０（片側のみ図示されている）を介して可動フレームＦに回動自在に取り付けられており、揺動軸３４は、ピン３０，３６を揺動中心として揺動する構成である。
【００２０】
揺動軸３４の中間部には第３レバー４２の一端が固定されており、その他端には連結リンク４４の一端が回動自在に取り付けられている。連結リンク４４の他端は、ロックピンガイド部材６，６の両側に設けられた一対の中央駆動リンク４６，４６を互いに連結する連結ピン４８に回動自在に取り付けられている。
【００２１】
中央駆動リンク４６，４６は、ロックピンガイド部材６，６の中間部に設けられた回動軸５０の廻りに回動自在に取り付けられており、その一端には、第１ロックピン駆動リンク５２，５２の一端が回動自在に取り付けられるとともに、中央駆動リンク４６，４６の他端には、第２ロックピン駆動リンク５４，５４の一端が回動自在に取り付けられている。
【００２２】
また、第１ロックピン駆動リンク５２，５２の他端には第１ロックピン８が取り付けられる一方、第２ロックピン駆動リンク５４，５４の他端には第２ロックピン１０が取り付けられており、第１ロックピン８及び第２ロックピン１０の周囲には回転ローラ５６，５８がそれぞれ取り付けられている。
【００２３】
ロックピンガイド部材６，６の各々には、第１ガイド溝（長孔）６ａと第２ガイド溝（長孔）６ｂが穿設されており、第１及び第２ロックピン８，１０は第１及び第２ガイド溝６ａ，６ｂに遊挿されている。
【００２４】
上記構成のロック機構Ｍの作用につき以下説明する。
図１乃至図４に示されるように、除振台の除振機能が作用するロック解除（フリー）の状態では、スプリングフック２３に係止されたコイルスプリングの引張力により操作ロッド１４は、操作ロッドガイド部材２０に穿設されたガイド溝２０ａの最下端に保持されている。
【００２５】
この時、第１レバー１８のピン２４は最上端にあり、駆動部材２６を介して揺動軸３４は後方に押圧されている。したがって、第３レバー４２及び連結リンク４４を介して揺動軸２６に連結された中央駆動リンク４６の連結ピン４８も後方に押圧されているので、中央駆動リンク４６の一端に連結された第１ロックピン駆動リンク５２を介して、第１ロックピン８はロックピンガイド部材６，６の第１ガイド溝６ａの前端に保持される一方、中央駆動リンク４６の他端に連結された第２ロックピン駆動リンク５４を介して、第２ロックピン１０はロックピンガイド部材６，６の第２ガイド溝６ｂの後端（下端）に保持される。
【００２６】
この状態では、固定部２に対し可動部４は全く当接することがないので、可動フレームＦは自由に揺動できる状態にあり、車体フロア等から入力された振動を吸収することができる。なお、この時の可動フレームＦの可動範囲は、固定フレーム２の可動範囲設定用開口部２ａにより決定され、第２ロックピン１０が可動範囲設定用開口部２ａの内周面に当接しない範囲である。
【００２７】
ここで、傷病者の心臓マッサージ等が必要な場合には、スプリングフック２３に係止されたコイルスプリングの付勢力に抗して操作ノブ１２を引き上げ、さらにピン１７廻りに操作ロッド１４を揺動させて操作ロッドガイド部材２０の係止部２０ｂに係止させると、図５乃至図７に示されるように、第１レバー１８を介してピン２４が最下端まで押し下げられるので、駆動部材２６は矢印Ｂの逆方向に回転する。
【００２８】
この時、駆動部材２６に連結された第２レバー２８は、渦巻きバネ３２の付勢力により矢印Ｃ方向に付勢されているので、駆動部材２６と一体的に回転して揺動軸３４を前方に移動させるとともに、揺動軸３４に固定された第３レバー４２を前方に傾斜させる。その結果、第３レバー４２に連結された連結リンク４４が前方に移動することとなり、中央駆動リンク４６、４６の連結ピン４８が連結リンク４４により前方に引っ張られて、中央駆動リンク４６，４６は回動軸５０廻りに矢印Ｄ方向に回転する。
【００２９】
中央駆動リンク４６，４６が矢印Ｄ方向に回転すると、中央駆動リンク４６，４６の一端に連結された第１ロックピン駆動リンク５２を介して第１ロックピン８がロックピンガイド部材６，６の第１ガイド溝６ａに沿って後端まで移動する一方、中央駆動リンク４６，４６の他端に連結された第２ロックピン駆動リンク５４を介して第２ロックピン１０がロックピンガイド部材６，６の第２ガイド溝６ｂに沿って前端（上端）まで移動する。
【００３０】
この時、第１ガイド溝６ａの後端及び第２ガイド溝６ｂの前端は、固定フレーム２に形成された第１凹部２ｂ及び第２凹部２ｃにそれぞれ近接した位置にあるので、第１及び第２ロックピン８，１０の周囲に取り付けられた回転ローラ５６，５８が第１及び第２凹部２ｂ,２Ｃにそれぞれ嵌入し、固定フレーム２の一部を回転ローラ５６，５８により挟持する。
【００３１】
その結果、可動フレームＦの後方及び下方への移動は回転ローラ５６の第１凹部２ｂとの当接により阻止される一方、可動フレームＦの前方及び上方への移動は回転ローラ５８と第２凹部２ｃとの当接により阻止されるので、可動フレームＦはロック機構Ｍの可動部４とともに固定部２に対しロックされる。
【００３２】
ここで、除振台にはストレッチャの重量と傷病者の体重が加えられ、傷病者の体重に応じて固定部２に対する可動フレームＦ及び可動部２の相対位置（高さ）が変化する。したがって、傷病者が重い場合、可動フレームＦは沈み込み、ロック解除の状態から操作ノブ１２を引き上げて可動フレームＦをロックするに際し、第１ロックピン８の周囲に設けられた回転ローラ５６が固定フレーム２の上部前面２ｄに当接する事態が発生する。
【００３３】
この場合、駆動部材２６は、図５乃至図７に示されるロック位置に保持される一方、揺動軸３４は図１乃至図４に示されるロック解除位置とロック位置との中間位置に保持されるので、揺動軸３４は駆動部材２６と離間した位置に配置される。
【００３４】
しかしながら、駆動部材２６と揺動軸３４は渦巻きバネ３２により互いに当接する方向に付勢されているので、傷病者への心臓マッサージ等により可動フレームＦ及び可動部４が固定部２に対し上下動（振動）し、第１ロックピン８と固定フレーム２の上部前面２ｄとの当接が一旦解除されると、渦巻きバネ３２の付勢力により揺動軸３４が矢印Ｃ方向に揺動する。
【００３５】
その結果、揺動軸３４は駆動部材２６に当接し、第１及び第２ロックピン８，１０は固定フレーム２の第１及び第２凹部２ｂ，２ｃにそれぞれ嵌入して、可動フレームＦはロックされる。
【００３６】
ロック解除を行う場合には、操作ノブ１２をピン１７を中心にして側方に移動させて操作ロッド１４と操作ロッドガイド部材２０の係止部２０ｂとの係止を解除させると、スプリングフック２３に係止されたコイルスプリングの付勢力により操作ロッド１４はガイド溝２０ａに沿って下降し、ガイド溝２０ａの最下端に到達し保持される。
【００３７】
この時の各部材の動作は、既に詳述したロック解除（フリー）状態からロック状態への動作と全く逆なので、その説明は省略する。
【００３８】
なお、上記実施の形態において、可動フレームＦは上下及び前後方向に揺動可能に取り付けられているが、本発明は上下方向にのみ揺動可能な可動フレームを有するストレッチャ除振台にも当然適用できる。
【００３９】
【発明の効果】
本発明は、以上説明したように構成されているので、以下に記載されるような効果を奏する。
本発明のうちで請求項１に記載の発明によれば、操作ノブをロック解除位置よりロック位置に移動させることにより、リンク機構を介して第１及び第２ロックピンが移動接近して固定部の一部を挟持し、可動部を固定部にロックするようにしたので、簡単な操作（ワンタッチ）で可動フレームを確実にロックすることができる。
【００４０】
また、固定部の外側に第１ロックピンを配置する一方、固定部に設けた開口部内に第２ロックピンを配置したので、ロック時、第１及び第２ロックピンにより固定部の一部を容易に挟持することができ、可動部の位置がいかなる場合でも確実にロックすることができる。
【００４１】
さらに、請求項２に記載の発明によれば、固定部の外周部に第１凹部を形成するとともに、開口部における第１凹部の対向位置に第２凹部を形成し、第１及び第２ロックピンを第１及び第２凹部にそれぞれ嵌入させてロックするようにしたので、可動フレームの上下方向の揺動のみならず前後方向の揺動をも阻止することができる。
【００４２】
また、請求項３に記載の発明によれば、可動部にロックピンガイド部材を設け、第１及び第２ロックピンをロックピンガイド部材に穿設された第１及び第２ガイド溝に沿ってそれぞれ移動させるようにしたので、第１及び第２ロックピンの操作を確実に行うことができ、信頼性の高いロック機構を提供することができる。
【図面の簡単な説明】
【図１】  本発明にかかるストレッチャ除振台のロック機構を下方から見た時の斜視図である。
【図２】  ロック解除状態の図１のロック機構を上方から見た時の斜視図である。
【図３】  ロック解除状態の図１のロック機構を上方の別の角度から見た時の斜視図である。
【図４】  ロック解除状態の図１のロック機構の側面図である。
【図５】  ロック状態の図１のロック機構を上方から見た時の斜視図である。
【図６】  ロック状態の図１のロック機構を上方の別の角度から見た時の斜視図である。
【図７】  ロック状態の図１のロック機構の側面図である。
【符号の説明】
２    固定部
２ａ  可動範囲設定用開口部
２ｂ  第１凹部
２ｃ  第２凹部
４    可動部
６    ロックピンガイド部材
６ａ  第１ガイド溝
６ｂ  第２ガイド溝
８    第１ロックピン
１０  第２ロックピン
１２  操作ノブ
１４  操作ロッド
１６  回動軸
１７，２４，３０，３６  ピン
１８  第１レバー
２０  操作ロッドガイド部材
２０ａ  ガイド溝
２０ｂ  係止部
２３  スプリングフック
２６  駆動部材
２６ａ  長孔
２８，３８  第２レバー
３２  渦巻きバネ
３４  揺動軸
４２  第３レバー
４４  連結リンク
４６  中央駆動リンク
４８  連結ピン
５０  回動軸
５２  第１ロックピン駆動リンク
５４  第２ロックピン駆動リンク
５６，５８  回転ローラ
Ｆ    可動フレーム
Ｍ    ロック機構
【図１】
0004262350.tif 000002
【図２】
0004262350.tif 000003
【図３】
0004262350.tif 000004
【図４】
0004262350.tif 000005
【図５】
0004262350.tif 000006
【図６】
0004262350.tif 000007
【図７】
0004262350.tif 000008